(57)【要約】【課題】害虫の死骸を適切に除去することが可能であり、且つ、回収した溶液を再利用する場合に、害虫の死骸が適切に除去された溶液を用いることが可能である除虫装置を提供する。【解決手段】除虫装置は、タンク３とフィルタ３７とを備えている。タンク３は、供給部分３１１と回収部分３２１とを有している。供給部分３１１は、害虫を駆除するときに利用される溶液を貯留する。回収部分３２１は、駆除された害虫の死骸が混入された溶液を貯留する。タンク３は、連通口３６ａが形成された仕切壁３６を有している。連通口３６ａは、タンク３の内部において、回収部分３２１のうちの天面３ａと底面３ｂとの間の位置と、供給部分３１１とを連通させる。フィルタ３７は連通口３６ａに配置されている。【選択図】図４
2013017393.tif 000002
【特許請求の範囲】
【請求項１】
発泡させた界面活性剤を含む溶液を用いて害虫を駆除する除虫装置であって、
害虫を駆除するときに利用される溶液を貯留する供給部分と、駆除された害虫の死骸が混入された溶液を貯留する回収部分とを有するタンクと、
前記タンクの内部において、前記回収部分のうちの上端と下端との間の位置と、前記供給部分とを連通させる連通部と、
前記連通部に配置されたフィルタとを備えた、除虫装置。
【請求項２】
前記タンクの内部の溶液の液面の高さを検知する検知部をさらに備え、
前記検知部が検知する液面の高さが所定の高さよりも低い場合に、前記タンクの前記供給部分から溶液を供給することを停止する、請求項１に記載の除虫装置。
【請求項３】
前記タンクの内部の溶液の液面の高さを検知する検知部と、
前記検知部が検知する液面の高さが所定の高さよりも低い場合に、使用者に警告する警告部とをさらに備えた、請求項１または請求項２に記載の除虫装置。
【請求項４】
前記タンクは、溶液を貯留する容器部分と、前記容器部分に着脱自在に取り付けられる蓋部分とを有し、
前記蓋部分のうち、前記回収部分の蓋を形成する部分には、開口部が形成され、
少なくとも前記開口部の上方を覆い、前記開口部から前記タンクの外方に向かって溶液に含まれる害虫の死骸を通過させることが不可能であり且つ前記開口部から前記タンクの外方に向かって溶液を通過させることが可能であるように構成されたネット部材をさらに備えた、請求項１から請求項３までのいずれか１項に記載の除虫装置。
【請求項５】
前記タンクは、溶液を貯留する容器部分と、前記容器部分に着脱自在に取り付けられる蓋部分とを有し、
前記蓋部分のうち、前記回収部分の蓋を形成する部分には、開口部と、前記開口部の外周に配置され、且つ、市販の袋部材が少なくとも前記開口部の上方を覆うことができるように前記袋部材を固定させる固定部材とが形成されている、
請求項１から請求項３までのいずれか１項に記載の除虫装置。
【請求項６】
前記タンクは、溶液を貯留する容器部分と、前記容器部分に着脱自在に取り付けられる蓋部分とを有し、
前記蓋部分が取り外された前記容器部分の一部に収容されることが可能であるように構成された押さえ部材をさらに備え、
前記押さえ部材は、前記蓋部分が取り外された前記容器部分の一部に収容された場合に、前記押さえ部材の外方に向かって溶液に含まれる害虫の死骸を通過させることが不可能であり且つ前記押さえ部材の外方に向かって溶液を通過させることが可能であるように構成されている、請求項１から請求項３までのいずれか１項に記載の除虫装置。
【発明の詳細な説明】
【技術分野】
【０００１】
本発明は、除虫装置に関する。
【背景技術】
【０００２】
害虫を駆除するための除虫装置等について、特開２００２−３００８４０号公報（特許文献１）、特開２００３−６１５４０号公報（特許文献２）、特開２００４−８１１６６号公報（特許文献３）、または、特開２００４−９７１９３号公報（特許文献４）に記載されたものが従来から知られている。
【０００３】
上記従来の各除虫装置等は、比較的大型の装置であって、家庭内での使用が考慮されたものではなく、害虫を捕獲するための界面活性剤を含んだ大量の溶液から泡を大量に発泡させている。界面活性剤を含んだ大量の溶液は、豊富な容量を持つ容器等に貯留されている。
【０００４】
特開２００２−３００８４０号公報（特許文献１）に記載された不快害虫駆除装置は、泡を含んだ溶液を床面に供給することにより、害虫を駆除している。
【０００５】
特開２００３−６１５４０号公報（特許文献２）に記載された飛翔性害虫駆除装置は、溶液を貯留する容器に、駆除した害虫が混入されるように構成されている。
【０００６】
特開２００４−８１１６６号公報（特許文献３）に記載された飛翔性害虫駆除装置は、溶液を貯留する泡原料容器と、駆除した害虫が混入された使用後の溶液を貯留する回収容器とを備えている。泡原料容器の底部と回収容器の底部とは、連通管によって互いに連通されている。回収容器の上方には、溶液に混入した害虫を捕獲する捕獲部材が配置されている。
【０００７】
特開２００４−９７１９３号公報（特許文献４）に記載された飛翔性害虫捕捉装置は、溶液を貯留する泡生成液容器に、駆除した害虫が混入されるように構成されている。
【先行技術文献】
【特許文献】
【０００８】
【特許文献１】特開２００２−３００８４０号公報
【特許文献２】特開２００３−６１５４０号公報
【特許文献３】特開２００４−８１１６６号公報
【特許文献４】特開２００４−９７１９３号公報
【発明の概要】
【発明が解決しようとする課題】
【０００９】
特開２００２−３００８４０号公報（特許文献１）に記載された不快害虫駆除装置は、害虫の駆除に寄与して役目が終えられた溶液を回収することがなく、単に廃棄している。このように、特開２００２−３００８４０号公報（特許文献１）に記載された不快害虫駆除装置は、役目が終えられた溶液を回収することについて、考慮されたものではない。
【００１０】
また、特開２００３−６１５４０号公報（特許文献２）に記載された飛翔性害虫捕捉装置と、特開２００４−９７１９３号公報（特許文献４）に記載された飛翔性害虫捕捉装置とは、駆除した害虫が混入された溶液を使用し続けるだけであって、役目が終えられた溶液を回収することについて考慮されたものではない。さらに、役目が終えられた溶液を回収し且つ再利用する場合に、容器の外部に供給される溶液に害虫の死骸が含まれないように害虫の死骸を除去するような対策は、当然施されていない。
【００１１】
特開２００４−８１１６６号公報（特許文献３）に記載された飛翔性害虫駆除装置において、捕獲部材は、回収容器の上方に配置されている。しかしながら、特開２００４−８１１６６号公報（特許文献３）に記載された飛翔性害虫駆除装置は、害虫の死骸を適切に除去することについて考慮されたものではない。
【００１２】
特開２００４−８１１６６号公報（特許文献３）に記載された飛翔性害虫駆除装置において、回収容器の上方に捕獲部材が配置されているとしても、捕獲部材の機能が不十分であるような場合には、害虫の死骸等の不純物が捕獲部材を通過して、溶液と共に回収容器に貯留される。不純物等の重量を有するものは、回収容器の底部に溜まり易い。そのため、泡原料容器の底部と回収容器の底部とが連通管によって連通していることにより、回収容器の溶液に混入した不純物は、溶液と共に泡原料容器に移動してしまう。このように、特開２００４−８１１６６号公報（特許文献３）に記載された飛翔性害虫駆除装置においては、回収容器の溶液に不純物が混入しているような場合に、不純物が混入した溶液が再利用されてしまう。すなわち、特開２００４−８１１６６号公報（特許文献３）に記載された飛翔性害虫駆除装置は、回収した溶液を再利用する場合に、害虫の死骸が適切に除去されていない溶液を用いるような事態が発生するおそれがある。そのため、特開２００４−８１１６６号公報（特許文献３）に記載された飛翔性害虫駆除装置が、害虫の死骸を適切に除去することができるものであるとはいえない。
【００１３】
これらのように、害虫の死骸を適切に除去し、且つ、回収した溶液を再利用する場合に、タンクの外部に供給される溶液に害虫の死骸が含まれないように、害虫の死骸を除去するような対策が施された除虫装置が望まれていた。
【００１４】
そこで、本発明の目的は、害虫の死骸を適切に除去することが可能であり、且つ、回収した溶液を再利用する場合に、害虫の死骸が適切に除去された溶液を用いることが可能である除虫装置を提供することである。
【課題を解決するための手段】
【００１５】
本発明は、発泡させた界面活性剤を含む溶液を用いて害虫を駆除する除虫装置である。本発明に従った除虫装置は、タンクと、連通部と、フィルタとを備えている。タンクは、供給部分と回収部分とを有している。供給部分は、害虫を駆除するときに利用される溶液を貯留する。回収部分は、駆除された害虫の死骸が混入された溶液を貯留する。連通部は、タンクの内部において、回収部分のうちの上端と下端との間の位置と、供給部分とを連通させる。フィルタは、連通部に配置されている。
【００１６】
本発明に従った除虫装置によれば、タンクが供給部分と回収部分とを有していることにより、界面活性剤が含まれる溶液は、回収部分に一旦回収された後に、供給部分から再利用される。回収部分に貯留される溶液には、駆除された害虫の死骸が混入されている。このように、本発明に従った除虫装置によれば、駆除された害虫がタンクの内部に収容されることにより、害虫の死骸を除去することができる。
【００１７】
溶液とともに回収部分に回収された害虫の死骸のうち、比較的大きな害虫のものは、回収部分の底部に沈んでいる。一方、害虫の死骸のうち、比較的小さな害虫のものは、回収部分の液面付近に浮かんでいる。本発明に従った除虫装置によれば、タンクの内部において、回収部分のうちの上端と下端との間の位置と、供給部分とは、連通部によって連通されている。そのため、本発明に従った除虫装置によれば、回収部分に貯留された溶液のうち、害虫の死骸があまり多く含まれていない部分を供給部分に移動させることができる。
【００１８】
さらに、連通部にはフィルタが配置されている。そのため、連通部を介して回収部分から供給部分に溶液が移動する場合には、溶液に含まれる害虫の死骸よりもさらに細かい不純物が、フィルタによって除去される。このように、回収部分から供給部分に移動した溶液には、不純物等があまり含まれないため、供給部分には比較的清潔な溶液が貯留される。すなわち、本発明に従った除虫装置によれば、回収した溶液を再利用する場合に、害虫の死骸が適切に除去された溶液を用いることが可能である。
【００１９】
本発明に従った除虫装置は、タンクの内部の溶液の液面の高さを検知する検知部をさらに備えていることが好ましい。また、本発明に従った除虫装置は、検知部が検知する液面の高さが所定の高さよりも低い場合に、タンクの供給部分から溶液を供給することを停止することが好ましい。
【００２０】
この構成によれば、タンクにおいて、必要十分な量の溶液を常に貯留することができる。そのため、溶液に含まれる界面活性剤の濃度が適切に管理される。
【００２１】
本発明に従った除虫装置は、タンクの内部の溶液の液面の高さを検知する検知部をさらに備えていることが好ましい。さらに、本発明に従った除虫装置は、検知部が検知する液面の高さが所定の高さよりも低い場合に、使用者に警告する警告部をさらに備えていることが好ましい。
【００２２】
この構成によれば、溶液の量が不足していることを使用者に警告することができる。そのため、溶液が不足している状態で、当該除虫装置が継続して使用されることを防止することができる。また、当該警告により、溶液に含まれる界面活性剤の濃度を所定の濃度以内に抑えることを使用者に促すことができる。あるいは、この構成によれば、溶液の量が不足して当該除虫装置を継続して使用することができないことを、使用者に警告することができる。
【００２３】
本発明に従った除虫装置において、タンクは、溶液を貯留する容器部分と、容器部分に着脱自在に取り付けられる蓋部分とを有していることが好ましい。また、蓋部分のうち、回収部分の蓋を形成する部分には、開口部が形成されていることが好ましい。さらに、本発明に従った除虫装置は、ネット部材をさらに備えていることが好ましい。ネット部材は、少なくとも開口部の上方を覆い、開口部からタンクの外方に向かって溶液に含まれる害虫の死骸を通過させることが不可能であり且つ開口部からタンクの外方に向かって溶液を通過させることが可能であるように構成されていることが好ましい。
【００２４】
この構成によれば、使用者は、タンクの溶液を開口部から廃棄することができる。このとき、タンクの回収部分に溜められた害虫の死骸等の不純物は、開口部を覆うネット部材により、タンクから外部に流出しない。タンクに溜められた害虫の死骸等は、溶液が廃棄された後に、溶液とは別にタンクから容易に取り除かれる。このように、本発明に従った除虫装置の構成によれば、害虫の死骸と溶液とを個別に且つ容易にタンクから取り除くことができる。
【００２５】
本発明に従った除虫装置において、タンクは、溶液を貯留する容器部分と、容器部分に着脱自在に取り付けられる蓋部分とを有していることが好ましい。蓋部分のうち、回収部分の蓋を形成する部分には、開口部と、固定部材とが形成されていることが好ましい。固定部材は、開口部の外周に配置されていることが好ましい。また、固定部材は、市販の袋部材が少なくとも開口部の上方を覆うことができるように袋部材を固定させるものであることが好ましい。
【００２６】
この構成によれば、使用者は、開口部の上方を覆うように固定部材に取り付けられた袋部材を用いて、タンクに溜められた害虫の死骸等の不純物と溶液とを容易にタンクから取り除くことができる。このように、本発明に従った除虫装置の構成によれば、害虫の死骸と溶液とを容易に廃棄することができる。
【００２７】
本発明に従った除虫装置において、タンクは、溶液を貯留する容器部分と、容器部分に着脱自在に取り付けられる蓋部分とを有していることが好ましい。また、本発明に従った除虫装置は、押さえ部材をさらに備えていることが好ましい。押さえ部材は、蓋部分が取り外された容器部分の一部に収容されることが可能であるように構成されていることが好ましい。また、押さえ部材は、蓋部分が取り外された容器部分の一部に収容された場合に、押さえ部材の外方に向かって溶液に含まれる害虫の死骸を通過させることが不可能であり且つ押さえ部材の外方に向かって溶液を通過させることが可能であるように構成されていることが好ましい。
【００２８】
この構成によれば、使用者は、蓋部分が取り外されたタンクから、溶液を廃棄することができる。このとき、押さえ部材が容器部分に収容されるように使用者が押さえ部材を用いることにより、タンクの回収部分に溜められた害虫の死骸等の不純物が、タンクから外部に流出することを防ぐことができる。さらに、タンクに溜められた害虫の死骸等は、溶液が廃棄された後に、溶液とは別に廃棄される。このように、本発明に従った除虫装置の構成によれば、害虫の死骸と溶液とを個別に且つ容易に廃棄することができる。
【発明の効果】
【００２９】
以上のように、本発明によれば、害虫の死骸を適切に除去することが可能であり、且つ、回収した溶液を再利用する場合に、害虫の死骸が適切に除去された溶液を用いることが可能である除虫装置を提供することができる。
【図面の簡単な説明】
【００３０】
【図１】本発明に従った除虫装置の構成を示す概略図である。
【図２】本発明に従った除虫装置の全体を示す斜視図である。
【図３】本発明に従った除虫装置の泡供給部を概略的に示す正面図である。
【図４】本発明に従った除虫装置のタンクの一例を示す断面図である。
【図５】本発明に従った除虫装置のタンクの回収部分の一例を示す断面図であり、（Ａ）は回収部分に溜められた溶液が廃棄される前のものであり、（Ｂ）は回収部分に溜められた溶液が廃棄されるときのものである。
【図６】本発明に従った除虫装置のタンクの回収部分の他の一例を示す断面図である。
【図７】本発明に従った除虫装置のタンクの回収部分の他の一例のうちの蓋部分を示す図であって、回収部分の内部から蓋部分を見た図である。
【図８】本発明に従った除虫装置のタンクの回収部分の他の一例のうちの蓋部分に形成された固定部材を示す図であって、（Ａ）は固定部材の一例を示す断面図であり、（Ｂ）は固定部材の他の一例を示す断面図である。
【図９】本発明に従った除虫装置のタンクの回収部分のさらに他の一例に収容可能であるように構成された押さえ部材の全体を示す斜視図である。
【図１０】本発明に従った除虫装置のタンクの回収部分のさらに他の一例のうちの容器部分と、容器部分に収容された押さえ部材とを概略的に示す断面図である。
【発明を実施するための形態】
【００３１】
以下、本発明の実施の形態を図面に基づいて説明する。
【００３２】
（第１実施形態）
図１に、第１実施形態に係る除虫装置１００の概略的な構成図を示す。除虫装置１００は、発泡させた界面活性剤を含む溶液を用いて害虫を駆除するものである。また、除虫装置１００は、家庭用の除虫装置であって、比較的小型のものである。図１に示すように、除虫装置１００は、泡供給部１０と流下部２とタンク３とポンプ１４とを備えている。泡供給部１０は、発泡部１１と泡収容部１２とを有している。
【００３３】
ポンプ１４の作動により、タンク３から発泡部１１に溶液が供給される。また、除虫装置１００は、制御部５０を備えている。制御部５０は、ポンプ１４と発泡部１１とを制御している。ポンプ１４と発泡部１１との作動により、発泡部１１に供給された溶液が発泡する。
【００３４】
なお、発泡部１１の構成は、特に限定されない。発泡部１１は、液体に泡を発生させることが可能であるように構成されているものであればよく、公知の技術が用いられている。発泡部１１は、例えば、発泡部１１に供給された溶液に空気を送るポンプ（図示せず）を有していてもよい。
【００３５】
流下部２には、発泡した溶液が泡供給部１０から供給される。図２に示すように、除虫装置１００において、タンク３は、除虫装置１００の底部に配置されている。流下部２は、タンク３よりも上方に配置されている。泡収容部１２は、流下部２の上方に配置されている。タンク３は、泡供給部１０と流下部２とから取り外しが可能であるように構成されている。泡供給部１０と流下部２は、タンク３に着脱自在に取り付けられている。
【００３６】
泡収容部１２は、筒状の管状部材によって構成されている。図３に示すように、泡収容部１２の下部には、複数の開口部１２１が形成されている。図示は省略するが、発泡部１１の内部の空間と泡収容部１２の内部の空間とは連通している。発泡部１１にて発泡した泡を含む溶液は、少なくとも供給管１３を流通する溶液の圧力によって、発泡部１１から泡収容部１２に移動する。泡を含む溶液は、開口部１２１を介して泡収容部１２から吐出される。
【００３７】
流下部２に供給された泡を含む溶液は、流下部２を上方から下方に向かって流下する。除虫装置１００に集まる害虫は、流下部２を流下する溶液によって駆除される。
【００３８】
界面活性剤を含む泡によって害虫を捕獲する方法としては、溶液の泡がはじけることによって界面活性剤の微細な霧が発生する。害虫が泡に接触または突入するときに、多くの泡が破裂して界面活性剤の霧が害虫の体または羽根にかかる。羽根が濡れて飛べなくなった害虫の体に付いた界面活性剤は、害虫の呼吸器官に入ったり体の表面を濡らしたりする。界面活性剤が呼吸器官に入った場合には、害虫の呼吸が止まる。このように、泡に捕獲された害虫は、最後には死に至る。
【００３９】
図２を参照するように、捕獲された害虫を含む溶液は、流下部２を流下した後に回収口３４ｂを介してタンク３に回収される。図１に示すように、除虫装置１００のタンク３は、害虫を駆除するときに利用される溶液を貯留する供給部分３１１と、駆除された害虫の死骸が混入された溶液を貯留する回収部分３２１とを有している。なお、タンク３は、半透明状または非透明状であることが好ましい。
【００４０】
また、図４に示すように、タンク３は、溶液を貯留する容器部分３５１と、容器部分３５１に着脱自在に取り付けられる蓋部分３４１とを有している。蓋部分３４１のうち、回収部分３２１の蓋を形成する部分には、回収口３４ｂが形成されている。回収口３４ｂを介して回収部分３２１に流入した溶液と、溶液に含まれる害虫の死骸等の不純物とは、回収部分３２１に一旦貯留される。つまり、回収部分３２１は、駆除された害虫の死骸が混入された溶液を貯留する。
【００４１】
除虫装置１００（図１参照）において、供給部分３１１と回収部分３２１とは、一体である。つまり、容器部分３５１は、供給部分３１１と回収部分３２１とを有している。また、蓋部分３４１は、一体である供給部分３１１と回収部分３２１とを覆っている。タンク３の容器部分３５１には、タンク３の底面３ｂから上方に向かって仕切壁３６が延びている。仕切壁３６により、容器部分３５１が供給部分３１１と回収部分３２１とに区画されている。仕切壁３６の一部には、供給部分３１１と回収部分３２１とが連通されるように、連通口３６ａが形成されている。
【００４２】
連通口３６ａのうちの少なくとも回収部分３２１側の下端は、タンク３の底面３ｂつまり容器部分３５１の底面よりも上方に位置している。タンク３の底面３ｂは、回収部分３２１の下端を形成している。また、連通口３６ａのうちの少なくとも回収部分３２１側の上端は、タンク３の天面３ａよりも下方に位置している。タンク３の天面３ａは、回収部分３２１の上端を形成している。一方、連通口３６ａのうちの供給部分３１１側の位置は、図４に示すように回収部分３２１側の位置と略同一であることに限定されない。このように、タンク３の内部において、回収部分３２１のうちの上端と下端との間の位置と、供給部分３１１とは、連通口３６ａによって連通されている。
【００４３】
仕切壁３６に形成された連通口３６ａは、連通部の一例である。連通口３６ａには、連通口３６ａを覆うように、フィルタ３７が配置されている。このように、除虫装置１００（図１参照）は、連通口３６ａが形成された仕切壁３６を有するタンク３と、フィルタ３７とを備えている。
【００４４】
フィルタ３７の材質は、特に限定されず、液体である溶液にフィルタ３７が濡らされても損傷することが無いような材質であればよい。また、フィルタ３７は、防腐性を有する材質によって形成されていることが好ましい。さらに、フィルタ３７は、溶液に含まれる雑菌によって汚損することが無いように、様々な雑菌に対して抗菌性を有した材質によって形成されていることが好ましい。
【００４５】
フィルタ３７は、例えば、銀イオンを含有した無機材料の抗菌剤が練り込まれたポリエチレン、または、ポリプロピレン等を含む材料によって形成されていてもよい。また、銀イオンを含有した無機材料の抗菌剤が練り込まれたポリエチレンもしくはポリプロピレン等は、それぞれ単独で用いられているものであってもよく、ポリエチレンもしくはポリスチレン等と共重合しているものであってもよく、または、ポリエチレンもしくはポリスチレン等と混合されているものであってもよい。
【００４６】
除虫装置１００によれば、タンク３は、少なくとも供給部分３１１の容量と回収部分３２１の容量とが加えられた容量を有している。そのため、除虫装置１００は、害虫を駆除するときに利用される溶液を貯留するタンクと、駆除された害虫の死骸が混入された溶液を貯留するタンクとを別々に備えていないにもかかわらず、供給部分３１１と回収部分３２１とを有するタンク３を備えることにより、必要十分な量の溶液を貯留することができる。このように、除虫装置１００が比較的小型のものであって且つ当該装置内にスペースを十分に確保することができないものであっても、除虫装置１００は、必要十分な量の溶液をタンク３によって貯留することができる。
【００４７】
供給部分３１１からタンク３の外部に供給される溶液の流れと、流下部２（図２参照）を流下した後に回収部分３２１に回収される溶液の流れとに基づき、タンク３に貯留される溶液は、回収部分３２１から供給部分３１１に移動するようにタンク３の内部を流れる。回収部分３２１から供給部分３１１に溶液が移動するときに、溶液に含まれる不純物は、フィルタ３７に捕獲される。このように、供給部分３１１には、不純物が取り除かれた清潔な溶液が貯留される。そのため、供給部分３１１からは、清潔な溶液が発泡部１１に供給される。
【００４８】
蓋部分３４１のうち、供給部分３１１の蓋を形成する部分には、供給口３４ａが形成されている。また、供給部分３１１には、供給口３４ａを介して供給管１３の一端側の部分が収容されている。供給管１３の他端は、ポンプ１４（図１参照）に接続されている。ポンプ１４の作動により、供給部分３１１の溶液が供給管１３を通ってタンク３の外部に供給される。供給部分３１１に貯留される溶液は不純物が取り除かれているため、除虫装置１００においては、ポンプ１４に害虫の死骸等の不純物が詰るような事態が防止されている。
【００４９】
除虫装置１００は、タンク３内の溶液の液面の高さを検知する検知部の一例としてのセンサ５１を備えている。センサ５１は、溶液が完全に消費される前または溶液が皆無であることを検知する。除虫装置１００は、センサ５１が検知する液面の高さが所定の高さよりも低い場合に、タンク３の供給部分３１１から溶液を供給することを停止する。なお、センサ５１の構成は、一般的に利用される公知の構成であって、液面の高さを検知することができるものであれば特に限定されない。
【００５０】
制御部５０（図１参照）は、センサ５１からの信号を受信する。制御部５０は、センサ５１からの信号に基づいて、タンク３の供給部分３１１から発泡部１１に溶液を供給することを停止するように、ポンプ１４を制御する。制御部５０の制御により、ポンプ１４の作動が停止する場合には、タンク３の供給部分３１１から発泡部１１への溶液の供給が停止される。あるいは、制御部５０は、センサ５１からの信号に基づいて、使用者に溶液が不足していることを警告したり、除虫装置１００の作動を停止させたりする。例えば、除虫装置１００が長期間使用されずに放置されることによって溶液が蒸発している場合、または、溶液を後述するように廃棄した後に除虫装置１００の使用が開始される場合等に、警告が行われたり除虫装置１００の作動が停止されたりする。
【００５１】
なお、所定の高さとは、例えば連通口３６ａの上端の位置と略同一の高さである。ただし、所定の高さは、連通口３６ａの上端よりも上方であってもよく、タンク３の天面３ａであってもよい。あるいは、所定の高さは、例えば連通口３６ａの下端の位置と略同一の高さであってもよい。さらに、所定の高さは、タンク３の底面３ｂと略同一の高さであってもよく、底面３ｂよりも高い位置であってもよい。除虫装置１００を使用している最中には、タンク３内部に害虫の死骸が含まれるため、所定の高さが底面３ｂよりも高い位置であっても溶液の残量が少ないことが想定される。
【００５２】
図２に示すように、除虫装置１００は、警告部６０の一例としての表示部６１を備えている。表示部６１は、センサ５１が検知する液面の高さが所定の高さよりも低い場合に、使用者に警告する。表示部６１は、例えばＬＥＤランプによって構成されている。除虫装置１００が正常に作動している場合には、表示部６１は例えば青色で点灯している。タンク３の液量が減少し、液面が低下していることを制御部５０（図１参照）が判断する場合には、表示部６１は青色とは異なる色（例えば赤色）で点灯または点滅する。
【００５３】
なお、除虫装置１００において、発泡部１１の構成は特に限定されない。また、ポンプ１４は、発泡部１１の一部であってもよい。発泡部１１は、公知の技術を利用したものであって、所定の単位時間において所望の量の泡を発生させることができるものであればよい。発泡部１１は、例えばマイクロポンプを利用したものであってもよい。この場合には、発泡部１１は、溶液に空気を送るマイクロポンプと、溶液が所定の量ずつ吐出されるマイクロポンプとを利用するものであってもよい。
【００５４】
泡供給部１０は、泡を含む溶液が開口部１２１を介して泡収容部１２の外部に円滑に吐出されるように、ポンプ（図示せず）を有していてもよい。このポンプは、例えば発泡部１１または泡収容部１２に収容されていてもよい。また、このポンプは、例えば制御部５０によって制御され、制御部５０の制御に基づいて作動する。
【００５５】
なお、泡収容部１２の開口部１２１は、開閉自在に構成されているものであってもよい。この場合は、開口部１２１は、制御部５０によって制御される。開口部１２１が開閉自在であることにより、泡収容部１２から流下部２に吐出される溶液の量を調整することができる。
【００５６】
上述したように、除虫装置１００において、供給部分３１１と回収部分３２１とは、互いに一体であるように容器部分３５１と蓋部分３４１とによって構成されている。ただし、供給部分３１１と回収部分３２１とは、分離が可能であるように構成されていてもよい。この場合には、分離が可能であるように構成された供給部分３１１と回収部分３２１とが、それぞれ蓋部分と容器部分とを有している。
【００５７】
連通部の他の例としては、管状部材（図示せず）によって供給部分３１１と回収部分３２１とが連通されていてもよい。管状部材によって供給部分３１１と回収部分３２１とが連通されている場合は、供給部分３１１と回収部分３２１とが互いに一体であってもよく、供給部分３１１と回収部分３２１とが分離可能であってもよい。
【００５８】
除虫装置１００において、連通口３６ａに配置されるフィルタ３７は、連通口３６ａに着脱自在に嵌め込まれていることが好ましい。使用者は、フィルタ３７を連通口３６ａから取り外すことにより、フィルタ３７を洗浄することができる。このように、除虫装置１００において、清潔なフィルタ３７を常に使用することができる。なお、フィルタ３７は、一枚のシート状の部材によって形成されていてもよく、複数枚のシート状の部材が重ねられているものであってもよい。これら複数枚のシート状の部材の目の粗さは、それぞれ異なっていてもよく、同一であってもよい。
【００５９】
除虫装置１００において、センサ５１は、図４に示すように供給部分３１１に配置されていることに限定されない。センサ５１は、仕切壁３６または回収部分３２１に配置されていてもよい。また、センサ５１は、容器部分３５１のいずれか側壁内面に配置されていてもよく、タンク３の天面３ａに配置されていてもよい。
【００６０】
除虫装置１００において、表示部６１は、ＬＥＤランプによって構成されていることに限定されず、例えば液晶パネルであってもよい。特に、タンク３の内部の液面が低下していることを制御部５０（図１参照）が判断する場合には、液晶パネルとしての表示部６１は、除虫装置１００のエラーを使用者に警告するために、エラーをイメージさせる図柄または文字等を表示する。あるいは、液晶パネルとしての表示部６１は、例えば溶液の液面高さのデジタル値を液晶パネルに表示することができる。
【００６１】
除虫装置１００において、警告部６０は、警告音を発生させるブザー６２であってもよい。ブザーは、センサ５１が検知する液面の高さが所定の高さよりも低い場合に、警告音を発生することにより、除虫装置１００のエラーを使用者に警告する。ブザー６２は、制御部５０に制御されている。なお、ブザー６２の配置は、特に限定されない。ブザー６２は、所望の音量の警告音を発することができるような位置に配置されていればよく、且つ、他の構成部品の機能を妨げないような位置に配置されていればよい。タンク３には、ブザー６２が発生させた音を除虫装置１００の外部に伝わらせるためのブザー口６２ａが配置されている。ブザー口６２ａから外部に伝えられる警告音と、表示部６１の表示とにより、より確実に使用者に警告することができる。
【００６２】
以上のように、第１実施形態の除虫装置１００は、発泡させた界面活性剤を含む溶液を用いて害虫を駆除する。除虫装置１００は、タンク３とフィルタ３７とを備えている。タンク３は、供給部分３１１と回収部分３２１とを有している。供給部分３１１は、害虫を駆除するときに利用される溶液を貯留する。回収部分３２１は、駆除された害虫の死骸が混入された溶液を貯留する。また、タンク３は、連通口３６ａが形成された仕切壁３６を有している。連通口３６ａは、タンク３の内部において、回収部分３２１のうちの天面３ａと底面３ｂとの間の位置と、供給部分３１１とを連通させる。フィルタ３７は、連通口３６ａに配置されている。
【００６３】
除虫装置１００によれば、タンク３が供給部分３１１と回収部分３２１とを有していることにより、界面活性剤が含まれる溶液は、回収部分３２１に一旦回収された後に、供給部分３１１から再利用される。回収部分３２１に貯留される溶液には、駆除された害虫の死骸が混入されている。このように、除虫装置１００によれば、駆除された害虫がタンク３の内部のうちの回収部分３２１に収容されることにより、害虫の死骸を除去することができる。さらに、少なくとも回収部分３２１が非透明状である場合には、使用者は、回収部分３２１に収容された害虫の死骸を見なくて済むため、除虫装置１００を快適に使用することができる。
【００６４】
溶液とともに回収部分３２１に回収された害虫の死骸のうち、比較的大きな害虫のものは、回収部分３２１の底面３ｂに沈んでいる。一方、害虫の死骸のうち、比較的小さな害虫のものは、回収部分３２１の液面付近に浮かんでいる。除虫装置１００によれば、連通口３６ａは、タンク３の内部において、回収部分３２１のうちの上端と下端との間の位置と、供給部分３１１とを連通させる。そのため、除虫装置１００によれば、回収部分３２１に貯留された溶液のうち、害虫の死骸があまり多く含まれていない部分を供給部分３１１に移動させることができる。
【００６５】
さらに、連通口３６ａにはフィルタ３７が配置されている。そのため、連通口３６ａを介して回収部分３２１から供給部分３１１に溶液が移動されるときに、連通口３６ａを流通する溶液に含まれる害虫の死骸よりもさらに細かい不純物は、フィルタ３７によって除去される。このように、回収部分３２１から供給部分３１１に移動した溶液には、不純物等があまり含まれないため、供給部分３１１には比較的清潔な溶液が貯留される。すなわち、除虫装置１００によれば、回収した溶液を再利用する場合に、害虫の死骸が適切に除去された溶液を用いることが可能である。したがって、除虫装置１００によれば、害虫の死骸を適切に除去することが可能であり、且つ、回収した溶液を再利用する場合に、害虫の死骸が適切に除去された溶液を用いることが可能である。
【００６６】
除虫装置１００は、タンク３の内部の溶液の液面の高さを検知するセンサ５１を備えている。また、除虫装置１００は、センサ５１が検知する液面の高さが所定の高さよりも低い場合に、タンク３の供給部分３１１から溶液を供給することを停止する。
【００６７】
この構成によれば、タンク３において、必要十分な量の溶液を常に貯留することができる。そのため、溶液に含まれる界面活性剤の濃度が適切に管理される。また、例えば、液面の所定の高さとして、回収部分３２１の液面の高さのうち、連通口３６ａによって供給部分３１１と回収部分３２１とが連通されている位置の高さが設定されている場合には、溶液の液面に浮かんだ不純物がフィルタ３７に付着することが防止される。そのため、フィルタ３７の詰まりを防止することができる。
【００６８】
除虫装置１００は、センサ５１が検知する液面の高さが所定の高さよりも低い場合に、使用者に警告する表示部６１を備えている。
【００６９】
この構成によれば、表示部６１の表示に基づいて、溶液の量が不足していることを使用者に警告することができる。そのため、溶液が不足している状態で、除虫装置１００が継続して使用されることを防止することができる。また、当該警告により、溶液に含まれる界面活性剤の濃度を所定の濃度以内に抑えることを使用者に促すことができる。あるいは、この構成によれば、溶液の量が不足して除虫装置１００を継続して使用することができないことを、使用者に警告することができる。
【００７０】
（第２実施形態）
図５（Ａ）および（Ｂ）に第２実施形態に係る除虫装置のタンク３を示す。第２実施形態に係る除虫装置のタンク３は、回収部分３２２と供給部分（図示せず）とを有している。第２実施形態に係る除虫装置のタンク３の供給部分については、第１実施形態に係る除虫装置１００のタンク３の供給部分３１１と同様の構成であるとして、図示を省略する。
【００７１】
図５（Ａ）および（Ｂ）に示すように、第２実施形態に係る除虫装置のタンク３は、溶液を貯留する容器部分３５２と、容器部分３５２に着脱自在に取り付けられる蓋部分３４２とを有している。蓋部分３４２のうち、回収部分３２２の蓋を形成する部分には、開口部３４２ａが形成されている。
【００７２】
第２実施形態に係る除虫装置は、ネット部材３８を備えている。ネット部材３８は、少なくとも開口部３４２ａの上方を覆い、開口部３４２ａからタンク３の外方に向かって溶液に含まれる害虫の死骸を通過させることが不可能であり且つ開口部３４２ａからタンク３の外方に向かって溶液を通過させることが可能であるように構成されている。ネット部材３８の目の粗さとしては、小蠅等の小さい虫を通過させない程度のものが好ましい。また、ネット部材３８は、蓋部分３４２に着脱自在に取り付けられていてもよい。この場合には、使用者は、ネット部材３８を蓋部分３４２から取り外したうえで洗浄したり、ネット部材３８を新しいものに交換したりすることができる。
【００７３】
第２実施形態に係る除虫装置のタンク３の構成によれば、使用者は、タンク３の溶液を開口部３４２ａから廃棄することができる。このとき、タンク３の回収部分３２２に溜められた害虫の死骸等の不純物は、開口部３４２ａを覆うネット部材３８により、タンク３から外部に流出しない。タンク３に溜められた害虫の死骸等は、溶液が廃棄された後に、溶液とは別にタンク３から容易に取り除かれる。このように、第２実施形態に係る除虫装置のタンク３の構成によれば、害虫の死骸と溶液とを個別に且つ容易にタンクから取り除くことができる。
【００７４】
図５（Ａ）および（Ｂ）に示すように、第２実施形態に係る除虫装置のタンク３において、蓋部分３４２には、柵３４２ｃが設けられている。柵３４２ｃは、タンク３の天面３ａから底面３ｂに向かって延びるように、蓋部分３４２に形成されたリブ状の突起である。柵３４２ｃは、蓋部分３４２において、開口部３４２ａと回収口３４ｂとの間に配置されている。
【００７５】
柵３４２ｃの下端３４２ｅは、天面３ａと底面３ｂとの略中間位置よりも上方に位置している。柵３４２ｃの上下方向の寸法は、例えば、蓋部分３４２のうちの容器部分３５２の外側に位置する縁の上下方向の寸法と略同一である。ただし、柵３４２ｃの上下方向の寸法は、特に限定されない。柵３４２ｃの上下方向の寸法は、天面３ａと底面３ｂとの略中間位置に下端３４２ｅが位置する程度のものであってもよく、または、底面３ｂの近傍に下端３４２ｅが位置する程度のものであってもよい。
【００７６】
なお、柵３４２ｃの形状は、特に限定されない。柵３４２ｃは、天面３ａから底面３ｂに向かって、曲線状に延びているものであってもよい。また、柵３４２ｃの断面形状は、略長方形であることに限定されない。
【００７７】
使用者は、容器部分３５２のうちの図５（Ａ）の左側の部分を持ちながら溶液を廃棄することにより、回収部分３２２に溜められた溶液を外部に容易に排出させることができる。さらに、柵３４２ｃが天面３ａに形成されていることにより、害虫の死骸が使用者の手に近付くこと、または、廃棄する溶液が使用者の手に掛かることを防ぐことができる。
【００７８】
なお、開口部３４２ａの開口の数量は限定されない。蓋部分３４２には、比較的大きな口径を有する一つの開口が形成されていてもよい。
【００７９】
なお、ネット部材３８は、回収口３４ｂの周り全体を取り囲むような形状を有していてもよい。この場合には、使用者は、溶液を廃棄するときに、タンク３を上下逆さまに向けながら、回収部分３２２から溶液を排出させることができる。
【００８０】
第２実施形態に係る除虫装置のその他の構成は、第１実施形態に係る除虫装置１００と同様である。第２実施形態に係る除虫装置のその他の構成については、同符号を付し、その説明を省略する。
【００８１】
（第３実施形態）
図６に第３実施形態に係る除虫装置のタンク３を示す。第３実施形態に係る除虫装置のタンク３は、回収部分３２３と供給部分（図示せず）とを有している。第３実施形態に係る除虫装置のタンク３の供給部分については、第１実施形態に係る除虫装置１００のタンク３の供給部分３１１と同様の構成であるとして、図示を省略する。
【００８２】
図６に示すように、第３実施形態に係る除虫装置のタンク３は、溶液を貯留する容器部分３５３と、容器部分３５３に着脱自在に取り付けられる蓋部分３４３とを有している。蓋部分３４３のうち、回収部分３２３の蓋を形成する部分には、開口部３４３ａと、固定部材の一例としての外枠３４３ｂおよび内枠３４３ｃが形成されている。外枠３４３ｂおよび内枠３４３ｃは、開口部３４３ａの外周に配置されている。また、外枠３４３ｂおよび内枠３４３ｃは、市販の袋部材Ｓが少なくとも開口部３４３ａの上方を覆うことができるように袋部材Ｓを固定させる。
【００８３】
外枠３４３ｂおよび内枠３４３ｃは、タンク３の天面３ａから下方に向かって延びるように、蓋部分３４３に形成されたリブ状の突起である。図７に示すように、外枠３４３ｂおよび内枠３４３ｃは、開口部３４３ａの外周を囲むように、天面３ａに形成されている。
【００８４】
図８（Ａ）には、外枠３４３ｂに形成された突起状の保持部３４３ｄを示す。保持部３４３ｄの断面は、二つの頂点が外枠３４３ｂに重なった略三角の形状を有している。このとき、他の一つの頂点は、外枠３４３ｂの下端よりも上方に位置している。使用者は、蓋部分３４３を容器部分３５３から取り外したうえで、外枠３４３ｂと内枠３４３ｃとの間に袋部材Ｓの口（図示せず）を挟み込むことにより、保持部３４３ｄを介して袋部材Ｓを蓋部分３４３に固定する。このとき、袋部材Ｓが保持部３４３ｄに引っ掛かることによって、袋部材Ｓが蓋部分３４３に対して固定される。使用者は、袋部材Ｓが挟み込まれた蓋部分３４３を容器部分３５３に取り付けたうえでタンク３の開口部３４３ａを下方に向けることにより、タンク３に溜められた害虫の死骸と溶液とを廃棄することができる。
【００８５】
なお、袋部材Ｓの口の周りに取り付けられた紐（図示せず）を袋部材Ｓが有している場合には、当該紐が保持部３４３ｄに引っ掛かり易いため、袋部材Ｓは、外枠３４３ｂと内枠３４３ｃとの間に容易に固定される。なお、図示は省略するが、略三角形状の断面を有する保持部が、外枠３４３ｂではなく、内枠３４３ｃに形成されていてもよい。
【００８６】
図８（Ｂ）には、外枠３４３ｂに形成された突起状の保持部３４３ｂｄと、内枠３４３ｃに形成された突起状の保持部３４３ｃｄとを示す。保持部３４３ｂｄおよび保持部３４３ｃｄは、略半球体形状を有している。保持部３４３ｂｄは、保持部３４３ｃｄよりも下方に配置されている。図８（Ｂ）に示す固定部材の例においては、外枠３４３ｂまたは内枠３４３ｃのいずれか一方に保持部が形成されている場合に比べて、外枠３４３ｂおよび内枠３４３ｃと袋部材Ｓとの間の摩擦力が増大するため、袋部材Ｓは、より強固に外枠３４３ｂと内枠３４３ｃとの間に固定される。
【００８７】
なお、外枠３４３ｂおよび内枠３４３ｃは、タンク３の天面３ａではなく、蓋部分３４３の外側に配置されるものであってもよい。つまり、外枠３４３ｂおよび内枠３４３ｃは、開口部３４３ａの外周を囲むように、蓋部分３４３の外側表面に形成されていてもよい。外枠３４３ｂおよび内枠３４３ｃが蓋部分３４３の外側表面に形成されている場合には、使用者は、蓋部分３４３を容器部分３５３から取り外すことなく、タンク３の溶液を廃棄することができる。あるいは、蓋部分３４３が、袋部材Ｓを覆うことができるように構成されているものであってもよい。さらに、袋部材Ｓを支持する構成を蓋部分３４３が有していてもよい。袋部材Ｓを支持する構成は、例えば、蓋部分３４３に形成または固定された突起状の支柱である。このような支持構造により、溶液を廃棄するときに、抵抗または溶液の重量によって袋部材Ｓの蓋部分３４３に対する固定が外れることを防止することができる。
【００８８】
なお、図示は省略するが、第２実施形態に係る除虫装置のタンク３と同様に、蓋部分３４３には、回収口３４ｂと外枠３４３ｂとの間に柵が設けられていてもよい。ただし、タンク３の天面３ａに外枠３４３ｂおよび内枠３４３ｃが形成されている場合には、外枠３４３ｂおよび内枠３４３ｃが所望の上下方向の寸法を有することにより、外枠３４３ｂおよび内枠３４３ｃが当該柵を兼用することができる。また、使用者は、例えば小径の多数の孔が形成された袋部材Ｓを用いることが好ましい。
【００８９】
以上のように、第３実施形態に係る除虫装置のタンク３の構成によれば、使用者は、開口部３４３ａの上方を覆うように外枠３４３ｂと内枠３４３ｃとの間に挟み込まれた袋部材Ｓを用いて、タンク３に溜められた害虫の死骸等の不純物と溶液とを容易にタンク３から取り除くことができる。このように、第３実施形態に係る除虫装置のタンク３の構成によれば、害虫の死骸と溶液とを容易に廃棄することができる。さらに、袋部材Ｓに小径の多数の孔が形成されている場合には、袋部材Ｓを介して溶液と不純物とを容易に分離することができる。
【００９０】
（第４実施形態）
第１実施形態と第２実施形態と第３実施形態とは、タンク３に溜められた害虫の死骸と溶液とを廃棄することにより、タンク３の再利用が可能であるように構成された除虫装置について説明した。以下に説明するように、第４実施形態に係る除虫装置のタンク３は、タンク３に溜められた害虫の死骸等の不純物と共に廃棄されることが考慮されたものである。
【００９１】
図９には、タンク３に溜められた溶液を廃棄する際に利用される押さえ部材４０の一例を示す。図１０に示すように、押さえ部材４０は、蓋部分（図示せず）が取り外された容器部分３５４の一部に収容されることが可能であるように構成されている。図１０には、容器部分３５４から蓋部材が既に取り外された回収部分３２４を示す。つまり、第４実施形態に係る除虫装置のタンク３は、溶液を貯留する容器部分３５４と、容器部分３５４に着脱自在に取り付けられる蓋部分とを有している。なお、第４実施形態に係る除虫装置のタンク３の供給部分については、第１実施形態に係る除虫装置１００のタンク３の供給部分３１１と同様の構成であるとして、図示を省略する。
【００９２】
図９に示すように、押さえ部材４０は、板状部４１を有している。板状部４１には、複数の貫通孔４１ｈが形成されている。貫通孔４１ｈは、板状部４１の表側と裏側とを貫通するように延びている。また、押さえ部材４０は、板状部４２を有している。板状部４２には、複数の貫通孔４２ｈが形成されている。貫通孔４２ｈは、板状部４２の表側と裏側とを貫通するように延びている。
【００９３】
貫通孔４１ｈの口径と貫通孔４２ｈの口径とは、押さえ部材４０の外方に向かって溶液に含まれる害虫の死骸を通過させることが不可能であり且つ押さえ部材４０の外方に向かって溶液を通過させることが可能な程度のものである。貫通孔４１ｈの口径と貫通孔４２ｈの口径とは、それぞれ同一であってもよく、異なっていてもよい。さらに、貫通孔４１ｈは、すべて同一の口径を有するものであってもよく、それぞれ異なる口径を有するものであってもよい。同様に、貫通孔４２ｈは、すべて同一の口径を有するものであってもよく、それぞれ異なる口径を有するものであってもよい。このように、押さえ部材４０は、後述するように蓋部分が取り外された容器部分３５４（図１０参照）の一部に収容された場合に、押さえ部材４０の外方に向かって溶液に含まれる害虫の死骸を通過させることが不可能であり且つ押さえ部材４０の外方に向かって溶液を通過させることが可能であるように構成されている。
【００９４】
板状部４１と板状部４２とは、板状部４１の裏側表面と板状部４２の表側表面とが互いに面するように、重ねられている。さらに、押さえ部材４０の表面には、環状の紐４４が取り付けられている。使用者は、後述するようにタンク３の溶液を処理した後には、タンク３の容器部分３５４（図１０参照）のうちの回収部分３２４から、紐４４を摘まみながら押さえ部材４０を容易に取り出すことができる。
【００９５】
板状部４１の一端部には、二本のスライド孔４３１が形成されている。スライド孔４３１は、板状部４１が延びる方向に沿って延びた貫通孔である。一方、板状部４２の他端部には、二本の突起４３２が形成されている。突起４３２は、板状部４２の表側表面から板状部４１に向かって延び、スライド孔４３１に嵌め込まれている。使用者は、突起４３２がスライド孔４３１の中を移動するように板状部４１と板状部４２とを動かすことにより、容器部分３５４（図１０参照）のうちの回収部分３２４の形状または寸法に合わせて、押さえ部材４０の形状または寸法を調節することができる。このように、スライド孔４３１と突起４３２とによって、押さえ部材４０のスライド機構４３が構成されている。
【００９６】
図１０に示すように、容器部分３５４のうちの少なくとも回収部分３２４の形状または寸法に対応した押さえ部材４０は、回収部分３２４に収容される。使用者は、容器部分３５４の回収部分３２４に押さえ部材４０を置いたうえでタンク３を傾けることにより、タンク３に溜められた溶液を回収部分３２４から排出させることができる。タンク３の溶液を処理した後には、使用者は、回収部分３２４から、紐４４を摘まみながら押さえ部材４０を容易に取り出すことができる。
【００９７】
以上のように、第４実施形態に係る除虫装置のタンク３の構成によれば、使用者は、蓋部分が取り外されたタンク３から、溶液を廃棄することができる。このとき、押さえ部材４０が容器部分３５４に収容されるように使用者が押さえ部材４０を用いることにより、タンク３の回収部分３２４に溜められた害虫の死骸等の不純物が、タンク３から外部に流出することを防ぐことができる。さらに、タンク３に溜められた害虫の死骸等は、溶液が廃棄された後に、溶液とは別に廃棄される。このように、第４実施形態に係る除虫装置のタンク３の構成によれば、害虫の死骸と溶液とを個別に且つ容易に廃棄することができる。
【００９８】
また、少なくとも容器部分３５４のうちの回収部分３２４が、タンク３に溜められた害虫の死骸等の不純物と共に廃棄することができるものである場合には、使用者は、回収部分３２４を害虫の死骸等の不純物と共に廃棄することでできる。そのため、この場合には、より簡便に害虫の死骸を処分することができる。さらに、少なくとも容器部分３５４のうちの回収部分３２４が、廃棄することができるものであり、且つ、非透明状である場合には、使用者は、害虫の死骸を処分するときに死骸を見なくて済む。このように第４実施形態に係る除虫装置のタンク３が構成されている場合には、使用者はさらに容易に死骸を処分することができる。
【００９９】
なお、図９に示すスライド機構４３の構成は一例であり、押さえ部材４０は、他の公知の技術を利用して板状部４１と板状部４２とが互いにスライドするように構成されているものであればよい。また、押さえ部材４０においてスライド機構４３が移動する方向は、板状部４１と板状部４２とのように二方向であることに限定されない。例えば、押さえ部材４０が複数のスライド機構（図示せず）を有することにより、様々な形状または寸法を有するタンク３の回収部分３２４に対応するように押さえ部材４０の形状または寸法を調節することができる。
【０１００】
なお、スライド機構４３を有する押さえ部材４０は、容器部分３５４に着脱自在に取り付けられる蓋部材を兼ねていてもよい。蓋部材を兼用する押さえ部材４０のスライド機構４３は、例えば、容器部分３５４の外側に配置される蓋部分の縁の一部である。
【０１０１】
なお、押さえ部材４０は、貫通孔４１ｈを覆うネット部材と貫通孔４２ｈを覆うネット部材とを別に有していてもよい。また、押さえ部材４０は、貫通孔４１ｈと貫通孔４２ｈとがそれぞれ板状部４１と板状部４２と形成されている構成に限定されない。押さえ部材４０は、押さえ部材４０の表面に形成された開口部（図示せず）を覆うように、押さえ部材４０にネットが取り付けられているものであってもよい。
【０１０２】
なお、第１実施形態に係る除虫装置１００と第２実施形態に係る除虫装置と第３実施形態に係る除虫装置とにおいても、タンク３は、タンク３に溜められた溶液が廃棄された後に、タンク３に残った害虫の死骸と共に廃棄されるものであってもよい。
【０１０３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０４】
３：タンク、３６ａ：連通口、３７：フィルタ、３８：ネット部材、４０：押さえ部材、５１：センサ、６０：警告部、６１：表示部、６２：ブザー、１００：除虫装置、３１１：供給部分、３２１，３２２，３２３，３２４：回収部分、３４１，３４２，３４３：蓋部分、３４２ａ：開口部、３４３ａ：開口部、３４３ｂ：外枠、３４３ｃ：内枠、３４３ｄ，３４３ｂｄ，３４３ｃｄ：保持部、３５１，３５２，３５３，３５４：容器部分、Ｓ：袋部材
【図１】
2013017393.tif 000003
【図２】
2013017393.tif 000004
【図３】
2013017393.tif 000005
【図４】
2013017393.tif 000006
【図５】
2013017393.tif 000007
【図６】
2013017393.tif 000008
【図７】
2013017393.tif 000009
【図８】
2013017393.tif 000010
【図９】
2013017393.tif 000011
【図１０】
2013017393.tif 000012